(57)【要約】      （修正有）【課題】広告メッセージを伴うオンスクリーンの双方向電子番組ガイド（ＥＰＧ）に使用するために視聴者ターミナルに広告メッセージを選択的に供給する。【解決手段】ＥＰＧ内の広告がテレビ視聴者に向けられる。テレビスクリーンにＥＰＧが表示される。ＥＰＧ及びテレビ受像機の使い方を監視して、視聴者プロファイルが発生される。複数の広告がテレビ信号と共に送信され、上記視聴者プロファイルに基づいて受信機に選択的に記憶され、視聴者プロファイルに一致する１つ以上の広告をスクリーンに表示する。また、ＥＰＧが発生されるデータベースを情報ソースとして使用して、視聴者プロファイルを発生し、受像機の機密ファイルに視聴者プロファイルを維持する。更に、視聴者プロファイルの全部又は一部分を視聴者の受像機の機密ファイルに維持する。【選択図】図１
2010063145.tif 000002
【特許請求の範囲】
【請求項１】
本明細書に記載の方法。
【発明の詳細な説明】
【技術分野】
【０００１】
（クロスレファレンス）
本発明は、１９９８年１０月１３日に出願された米国特許出願第６０／１０４，００８号及び１９９８年１１月３０日に出願された第６０／１１０，３０１号の優先権を請求するものであり、これらの出願の開示を参考としてここに援用する。
本発明は、広告メッセージを伴うオンスクリーンの双方向電子番組ガイド（ＥＰＧ）に係り、より詳細には、ＥＰＧに使用するために視聴者ターミナルに広告メッセージを選択的に供給することに係る。
【背景技術】
【０００２】
静的な広告メッセージをＥＰＧの指定の領域にグラフィック又はテキスト形態で表示することが知られている。これらの広告は、通常、ＥＰＧデータと共に、例えば、テレビ受像機のようなユーザターミナルへ送信され、そしてテレビ番組リストと同時にターミナルのモニタに表示される。広告の主題に特に関心のある受信者に向けて広告を送ることは、受信者の背景や関心事に関わりなく一般大衆に大規模に広告を送るよりも遥かに効果的であることが以前から知られている。
【発明の概要】
【課題を解決するための手段】
【０００３】
本発明の１つの特徴によれば、テレビ受像機及びテレビスクリーンを有するテレビ視聴者に広告が向けられる。テレビスクリーンにＥＰＧが表示される。受像機及び／又はＥＰＧの使用を監視して、視聴者の選択に基づいて視聴者プロファイルが発生される。複数の広告がテレビ信号と共に受像機へ送信される。送信された全広告より少ない広告が上記視聴者プロファイルに基づいて受像機に選択的に記憶される。視聴者プロファイルに一致する１つ以上の記憶された広告がスクリーンに表示される。記憶された広告は、ＥＰＧと同時にスクリーンに表示されるのが好ましい。
本発明の別の特徴は、ＥＰＧが発生されるデータベースを情報ソースとして使用して、視聴者プロファイルを発生し、受像機の機密ファイルに視聴者プロファイルを維持することである。
本発明の更に別の特徴は、視聴者プロファイルの全部又は一部分を視聴者の受像機の機密ファイルに維持することである。
（項目１）  テレビ受像機及びテレビスクリーンを有するテレビ視聴者に向けて広告をする方法において、
テレビスクリーンにＥＰＧを表示し、
受像機の使用を監視して、視聴者の選択に基づいて視聴者プロファイルを発生し、
複数の広告をテレビ信号と共に受像機へ送信し、
送信された全広告より少ない広告を上記視聴者プロファイルに基づいて受像機に選択的に記憶し、そして
１つ以上の記憶された広告をスクリーンに表示する、という段階を含むことを特徴とする方法。
（項目２）  上記記憶された広告は、ＥＰＧと同時にスクリーンに表示される項目１に記載の方法。
（項目３）  上記送信される広告は、テレビ信号に埋め込まれる項目１に記載の方法。
（項目４）  上記テレビ信号は、ＶＢＩを伴うアナログ形態であり、そして上記送信される広告は、ＶＢＩに埋め込まれる項目３に記載の方法。
（項目５）  上記テレビ信号は、デジタル映像流としてフォーマットされ、そして上記送信される広告は、映像流に埋め込まれる項目３に記載の方法。
（項目６）  上記視聴者プロファイルを受像機において機密ファイルに維持する段階を更に含む項目１に記載の方法。
（項目７）  ＥＰＧデータベースを受像機に記憶する段階を更に含み、ＥＰＧデータベースは、テレビ放送されるテレビ番組の時刻、チャンネル及び番組分類識別子を含み、そして上記監視段階は、視聴者により選択されたテレビ放送されるテレビ番組の番組分類を検索して、その選択されたテレビ番組の時刻及びチャンネルをアドレスすることによりＥＰＧデータベースからスクリーンに表示する項目１に記載の方法。
（項目８）  上記監視段階は、更に、各分類の番組が表示される時間を記録し、そして上記記憶段階は、最も長い記録時間を有する分類に一致する広告を記憶する項目７に記載の方法。
（項目９）  上記ＥＰＧ表示段階は、同じ番組分類識別子を使用して分類番組ガイドをコンパイルする項目７に記載の方法。
（項目１０）  上記ＥＰＧ表示段階は、異なる番組分類識別子を使用して分類番組ガイドをコンパイルする項目７に記載の方法。
（項目１１）  上記監視段階は、受像機が同調されたテレビチャンネルを監視する項目１に記載の方法。
（項目１２）  ＥＰＧデータベースを受像機に記憶する段階を更に含み、ＥＰＧデータベースは、テレビ放送されるテレビ番組の時刻、チャンネル及び番組分類識別子を含み、テレビ受像機は、チューナ及びリアルタイムクロックを有し、そして上記監視段階は、チューナがセットされたチャンネルと、チューナが再セットされるたびにクロックの時刻とを記録し、そしてその記録された時刻及びチャンネルでＥＰＧデータベースからテレビ放送されるテレビ番組の番組分類を検索する項目１に記載の方法。
（項目１３）  ＥＰＧデータベースを受像機に記憶する段階を更に含み、ＥＰＧデータベースは、テレビ放送されるテレビ番組の時刻、チャンネル及び番組分類識別子を含み、上記ＥＰＧ表示段階は、視聴者が表示された番組リストをハイライト状態にして別の動作を開始できるようにし、そして上記監視段階は、視聴者により選択されたテレビ放送されるテレビ番組の番組分類を検索して、その選択されたテレビ番組の時刻及びチャンネルをアドレスすることによりＥＰＧデータベースからスクリーンに表示する項目１に記載の方法。
（項目１４）  上記監視段階は、上記他の動作が開始される回数を分類によってカウントする項目１３に記載の方法。
【図面の簡単な説明】
【０００４】
【図１】本発明を実施するためのテレビ送信機のブロック回路図である。
【図２】図１の送信機によってテレビ放送される広告を示す図である。
【図３】本発明を実施するためのテレビ受像機のブロック回路図である。
【図４】図３の受像機のテレビモニタにおける典型的なＥＰＧスクリーンを示す図である。
【図５】視聴者嗜好プロファイルを形成するのに使用される典型的なＥＰＧデータベースの構成を示す図である。
【図６】視聴者嗜好プロファイルを形成するのに使用される典型的なＥＰＧデータベースの構成を示す図である。
【図７】視聴者嗜好プロファイルを形成するのに使用される典型的なＥＰＧデータベースの構成を示す図である。
【図８】視聴者嗜好プロファイルを形成するのに使用される典型的なＥＰＧデータベースの構成を示す図である。
【発明を実施するための形態】
【０００５】
本発明によれば、ＥＰＧの本体にパネル広告又は大見出し広告として表示するためのコード化された広告メッセージ又はグラフィックが、テレビ放送用送信機、ケーブルネットワークのヘッド端、又は他のテレビ信号ソースにおいて形成される。コードは、広告の形式又はクラス、例えば、スポーツ用品、衣類、自動車、レストラン等を識別する。広告は、テレビ受像機を有するユーザターミナル、即ちケーブルコンバータ、ＶＣＲ及びテレビ受像機へテレビ信号と共にテレビ放送される。
【０００６】
図１において、テレビ放送用送信機はビデオソース１０を有し、これは、データ挿入装置１２により高周波変調器（ＲＦ  ＭＯＤ）１４に接続される。デジタル形態の広告ソース１６は、データ挿入装置１２へ供給され、ソース１０からの基本帯域テレビ信号に広告を埋め込む。テレビ信号がアナログである場合には、広告がそのＶＢＩに埋め込まれるのが好ましい。テレビ信号がデジタルである場合には、広告がそのデジタルビデオ流にパケット形態で埋め込まれるのが好ましい。ＲＤ  ＭＯＤ１４は、テレビ信号をアップ変換し、そしてそれにより得られたＲＦ信号をアンテナ１６へ供給し、このアンテナは、テレビ信号を複数のテレビ受像機へ放送する。或いは又、広告は、ケーブル又は衛星システムのヘッド端において１つ以上のチャンネルのテレビ信号に挿入することもできる。
【０００７】
図２は、テレビ信号に埋め込まれた広告を左から右へ時間の関数として示している。広告Ａ１、Ａ２、Ａ３、・・Ａｎ−１、Ａｎは、円形コンベア（ｃａｒｏｕｓｅｌ）形態でインターバルＰだけ分離されて繰り返し送信される。インターバルＰは、ゼロから２４時間までの範囲である。広告の形式又はクラスを識別するコードは、各広告Ａ１、Ａ２、Ａ３、・・Ａｎ−１、Ａｎに先行するヘッダＨ１、Ｈ２、Ｈ３、・・Ｈｎ−１、Ｈｎにより搬送される。
【０００８】
図３において、複数の受像機の１つは、広告が埋め込まれたテレビ信号を傍受するためのアンテナ２０を有する。このアンテナ２０は、高周波（ＲＦ）区分２２によりチューナ２４に接続され、チューナは受信チャンネルを選択する。チューナ２４は、復調器（ＤＥＭＯＤ）２６によりデータデコーダ２８に接続され、このデータデコーダはテレビ信号から広告を回復する。テレビ信号がアナログである場合には、デコーダ２８は、通常、ＢＶＩデコーダとなる。回復された広告は、それらのコードと共に、バス３２を経てマイクロプロセッサ（μＰ）３０へ送信される。希望の時刻にチャンネルを切り換えるために、コマンドがバス３２によりマイクロプロセッサ３０からチューナ２４へ接続される。テレビ信号は、デコーダ２８を経てビデオプロセッサ３４へ供給される。ビデオプロセッサ３４は、テレビモニタ３６を駆動する。モニタ３６のスクリーンに表示される像は、以下に述べるように、ビデオプロセッサ３４においてコンポーズされる。ビデオプロセッサ３４が一緒に機能するＰＩＰチップを備えたビデオプロセッサ３４の説明については、参考としてここに取り上げる１９９６年３月７日及び１９９９年１月２８日に各々公告されたＰＣＴ国際出願ＷＯ９６／０７２７０号及びＷＯ９９／０４５６１号を参考されたい（受像機の音声発生要素は詳細に説明されていない）。広告メモリ３８、プロファイルメモリ４０及びＥＰＧデータベースメモリ４２は、両方向データ交換のためにバス３２によってマイクロプロセッサ３０に接続される。個別の要素として示されているが、メモリ３８、４０及び４２の２つ以上は、便宜上、単一ＲＡＭチップに合体することができる。データ及びコマンドも、バス３２によりビデオプロセッサ３４に接続されて、これを動作させる。ＩＲリモートコントローラのような視聴者入力装置４４は、ここに述べる受像機を動作するためにマイクロプロセッサ３０にコマンドを発生する。
【０００９】
図４には、マイクロプロセッサ３０の制御のもとでビデオプロセッサ３４により発生される典型的なＥＰＧスクリーン５０が示されている。このスクリーン５０は、多数の異なる表示領域に分割される。リアルタイムビデオ領域５２、パネル広告領域５４及びパネル広告領域５６がスクリーン５０の左側に沿って配列される。ビデオ領域５２は、通常、ＰＩＰチップにより発生される。大見出し領域５８は、スクリーン１０の最上部において領域５２に隣接して存在する。番組リスト領域６０は、領域５２、５４及び５６の右側でスクリーン５０の下２／３を占有する。領域６０の上には、水平に延びるメニューバー領域６２があり、これにより、視聴者は、多数の異なる機能の中から選択をすることができる。大見出し領域５８とメニューバー領域６２との間には、詳細領域６４がある。ＥＰＧスクリーン５０の使用及び動作は、参考としてここに取り上げる１９９９年１月２８日に公告されたＰＣＴ国際出願ＷＯ９９／０４５６１号に開示されている。
【００１０】
スクリーン５０（図４）に表示される番組リストを発生するためのＥＰＧデータベースは、メモリ４２に記憶される。このデータベースは、規則的に、良く知られた形態で更新され、例えば、マイクロプロセッサ３０の制御のもとでテレビ信号のＶＢＩにおいてダウンロードされる新たなＥＰＧデータにより更新される。マイクロプロセッサ３０は、所定の時刻にＥＰＧデータベースを搬送するチャンネルにチューナ２４をセットし、次いで、メモリ４２におけるデータの記憶を整合することができる。
図５は、番組スケジュールメモリデータベースを示す。静的領域７０は、他の項目の中でも、予め確立された時間リストを含む。この構造については、以下に詳細に述べる。動的領域７１は、テレビ番組スケジュールデータを記憶するのに使用される。このデータは、ショー情報パッケージ（ＳＩＰ）及び拡張テーマショーリストエントリーの形態をとる。これらの構造についても、以下に詳細に説明する。
【００１１】
テレビ番組データは、ダウンロードパケットにおいて受信される。ダウンロードパケットは、図２を参照して述べたように、ＶＢＩを経て送信されそしてチューナ２４により受信される。ダウンロードパケットは、テレビ番組スケジュール情報を、システムがその情報をメモリにいかに記憶すべきか決定できるようにするルートデータと共に含む。
図６は、ダウンロードパケットを示す。パケットは、このパケットを他のパケットから区別するのに使用されるパケットＩＤ番号７２を含むパケットヘッダデ始まる。パケットヘッダは、バイト数７３及びブロック数７４も含む。これらの値は、パケットのサイズを決定するのに使用される。
【００１２】
パケットヘッダの後に、ショー情報パッケージ（ＳＩＰ）ヘッダが続く。パケットにおけるショー情報パッケージごとにショー情報パッケージヘッダがある。ＳＩＰヘッダは、ショー情報パッケージにおけるデータの内部チャンネル番号を決定するのに使用されるガイド番号７５と、ショー情報パッケージにおけるデータのソースを決定するのに使用されるチャンネルＩＤ７６と、ショー情報パッケージにおけるデータの日時を指定するのに使用される時間スロット７７とを含む。ショー情報パッケージ７８がＳＩＰヘッダに続く。
受信時に、システムのマイクロプロセッサは、ダウンロードパケットからショー情報パッケージを抽出し、そしてそれを番組スケジュールメモリに一時的に記憶する。ショー情報パッケージは、データが本日（今日）のものか翌日（明日）のものかを決定するのに使用されるデータフィールドを含む。
【００１３】
パッケージがこの２日ウインドウ内に入る場合には、システムは、データが既存データの複写であるかどうか決定する。ショー情報パッケージは、データが新しいかどうか又はデータがメモリに既に存在するかどうかを決定するのに使用されるバージョン番号を含む。データが新しければ、それが記憶されると共に、ショー情報パッケージのアドレスが、予め確立された時間リストの適当なポインタに入れられる。予め確立された時間リストは、以下に詳細に説明する。
ショー情報パッケージが現在２日ウインドウ（今日及び明日）の外にあり、そしてショー情報パッケージがテーマ情報をもつ番組を含む場合には、テーマ情報をもつこれらの番組は、ショー情報パッケージから引き出されそして適当な拡張テーマショーリストに入れられる。拡張テーマショーリストについては、以下に詳細に述べる。ショー情報パッケージが現在２日ウインドウの外にあり、そしてテーマ情報を含まないか、或いはショー情報パッケージが、既に記憶されたものの複写である場合には、ショー情報パッケージ全体が破棄される。
【００１４】
番組スケジュールメモリのデータは、システムがデータを解釈できるようにするデータ構造体に記憶される。データ構造体の多くは、固定長さであり、静的領域７０に存在する。他のデータ構造体は、可変長さであり、動的領域７１に存在する。固定のデータ構造体は、予め確立された時間リスト、チャンネルマップ、制御アレー、コールレターマップ、メモリマップ及び記録待ち行列を含む。可変データ構造体は、ショー情報パッケージ及び拡張テーマショーリストを含む。
予め確立された時間リストは、システムのチャンネルごとにテレビ番組情報を探索するのに使用される。予め確立された時間リストは、本日（今日）又は翌日（明日）に放送される番組情報のみを参照する。予め確立された時間リストは、所望データ項目のアドレスを含むデータの断片であるポインタを使用することによりデータを参照する。
【００１５】
図７は予め確立された時間リストを示す。この予め確立された時間リストは、システムのチャンネルごとに１組の１２個のポインタ４１を含む。各ポインタは、テレビ番組の４時間ブロックに対するデータを含むショー情報パッケージに対応する。例えば、図７において、ポインタＥ１は、午後４時から午後８時までの番組データに対応する。１２個のポインタは、本日の２４時間の番組情報と、翌日の２４時間の番組情報とを表す。
図８を参照すれば、ポインタＡ２ないしＬ２は、システムの第２チャンネルに関連した番組データを表すのに使用される。各ポインタは、実際のテレビ番組データを含む可変長さのショー情報パッケージのアドレスを含む。特定のデータが必要とされるときには、マイクロプロセッサ３０は、先ず、予め確立された時間リストを見てポインタを固定し、次いで、その位置に見つかったアドレスを使用して、データが実際に記憶されているかどうか決定する。例えば、午後８時と夜中の１２時との間のテレビ番組に対しシステムの第２チャンネルのデータが必要とされる場合には、システムは、ポインタＦ２のアドレスを使用して、そのデータを含むショー情報パッケージの位置を決定する。
【００１６】
ショー情報パッケージは、実際のテレビ番組スケジュールデータを含む可変長のデータ構造体である。各ショー情報パッケージは、特定チャンネルに対するテレビ番組の４時間ブロックのデータを含む。ショー情報パッケージの長さは、可変である。というのは、各４時間ブロックにおけるショーの数が個々のショーの時間巾に依存するからである。
図８は、ショー情報パッケージを示す。このショー情報パッケージは、次のものを含む。即ち、ショー情報パッケージを記憶するのにどれほど多くのスペースが使用されたか、ひいては、ショー情報パッケージがもはや必要とされなくなった後にどれほど多くのスペースが空いているかを決定するのに使用されるメモリの量と、特定のショー情報パッケージのデータが本日のものか、翌日のものか、或いは現在２日ウインドウの外であるかを決定するのに使用される制御日付と、番組データの特定バージョンを指定するのに使用されるバージョン番号である。
【００１７】
これら３つのフィールドに続いて、４時間の時間ブロック内に合致する各ショーの特定データがある。ブロック８０で示された所与のショーに対しショー情報パッケージには次のフィールドが存在する。即ち、そのショーがパッケージ内の最後のショーであるか、又は処理されるべき他のショーが後に続くかを決定するのに使用される多ショーフラグフィールドと、スタート時間フィールド、即ち４時間ブロックのスタート時間からのオフセットであって、このオフセットを４時間ブロックの時刻に加えて、ショーのスタート時間を決定するものと、特定のショーのオンエア時間を指定する時間巾フィールドと、ショーの形式、例えば、ショーがスポーツイベントであるかニュース番組であるか又は映画であるかといった情報を含むテーマフィールドと、ショーがクローズド・キャプションであるかどうかを決定するＣＣフィールドと、ショーがステレオ放送であるかどうかを決定するステレオフィールドと、拡張のために残されたアド・ワン・フィールドであって、情報がこの技術において標準となったときにショーに関するより多くの情報を含むフィールドとである。
【００１８】
これらのフィールドに続いて、番組のタイトル、一次的な説明即ち番組の短い説明、二次的な説明即ち番組の長い説明、及びＶＣＲ＋ＰＬＵＳＣＯＤＥを表すフィールドがある。これら項目の各々は、２つのフィールドによって表され、その一方は、タイトルの長さのような特定項目の長さを含み、そしてその他方は、タイトルのような項目それ自体を含む。
この情報に続いて、ショー終了フィールドがある。ショー終了フィールドは、その特定のショーに対する情報が終了することを指示するのに使用される。ショー情報パッケージは、４時間ブロック内にいかに多くのショーが放送されるかに基づいて１つ以上のショーに対する情報を含むことができる。多数のショーの存在は、８１及び８２で表される。
【００１９】
ショー情報パッケージは、データを記憶するための多数の独特の特徴を与えるように構成される。タイトル長さ、一次説明長さ、二次説明長さ及びＶＣＲ＋ＰＬＵＳＣＯＤＥ長さフィールドは、１バイト内に記憶できる最大値を越える値に対して拡張することができる。例えば、図８を参照すれば、二次説明の長さが、１バイト内に記憶できる最大値より大きい場合には、長さバイトが最大値にセットされる。次いで、システムは、後続バイトも長さバイトであると仮定し、そして２つの値を加えて、二次説明の長さを決定する。このように、ショー情報パッケージは、長い説明又は長いタイトルを受け入れるようにスペースを動的に割り当てることができる。
【００２０】
ショー終了フィールドは、システムの現在バージョンによって読み取られないデータをショー情報パッケージに含ませることができる。これも図８に示すように、ＶＣＲ＋ＰＬＵＳＣＯＤＥフィールドに続いて、未指定データの２つのフィールドがある。これは、システムの将来のバージョンによって読み取られるが、現在のシステムでは現在処理されないデータである。ショー情報パッケージデータを処理するときには、システムは、ショー終了フィールドを読み取るまでにこのデータを破棄する。システムは、新たなショーについては、ショー終了フィールドが見つかるまでデータの処理を開始しない。この特徴により、システムは、より多くのデータを組み込み得る潜在的な将来のバージョンと同じデータにアクセスすることができる。
【００２１】
各ユーザターミナルにおいて、どの番組をどれほど頻繁にそしてどれほど長時間視聴するかといったユーザターミナルの使い方、或いはどの番組を録画、視聴又は詳細表示のスケジューリングのために選択したか又はどの番組をどれほど頻繁にカーソルでハイライト状態にしたかといったＥＰＧの使い方が、マイクロプロセッサ３０によって監視及び処理されて、視聴者嗜好プロファイルが形成される。このプロファイルは、視聴者のプライバシーを保護するために、各ユーザターミナルにおいて機密ファイルとして維持され、即ちメモリ４０に記憶される。従って、無許可の当事者がプロファイルにアクセスすることはない。換言すれば、視聴者の嗜好プロファイルを、サービスセンターやヘッド端や又はインターネットウェブサイトのような別の位置にアップロードすることはできない。
【００２２】
或いは、ユーザプロファイルの一部分、即ちプライバシーとして重要な部分、例えば、ユーザの名前のみが機密ファイルとして保持され、そして使い方に関する他の商業的に有用な匿名のマーケット情報が、分析のために、電話線、ページャー、インターネット等を経て遠隔処理センターへ送信される。
表示される番組リストを発生するための情報を供給する通常の機能に加えて、ＥＰＧデータベースは、以下に述べるように、視聴者ターミナルにおける視聴者の嗜好プロファイルを発生するための情報のソースとしても使用されるのが好ましい。その結果、視聴者の視聴習慣に関するデータのプライバシーは、それを遠隔位置へ送信することにより危険にさらされることはない。
【００２３】
例えば、マイクロプロセッサは、チューナ２４の設定を監視し、そしてチューナが各チャンネルにセットされる時刻、日付及び時間巾の記録を保持し、そして番組分類指定子を各番組に関する情報の一部分としてＥＰＧデータベースに記憶することができる。ユーザターミナルに常駐するＥＰＧデータベースを使用することにより、実際の番組又は番組のタイトル或いは番組分類指定子をチューナの時刻、日付及び時間巾から識別することができる。チューナ２４がリセットされるたびに、チャンネル及び時刻がマイクロプロセッサ３０により使用され、そのときそのチャンネルに放送されている番組に対するショー情報パッケージ（ＳＩＰ）に、時刻−チャンネルテーブル及びそれに対応するポインタを経てアクセスすることができる。分類番組ガイドを発生するのに使用される番組の分類は、視聴者プロファイルを公式化するのに使用するために、マイクロプロセッサ３０によりＳＩＰから回復することができる。チューナ２４がリセットされるたびに、最後のチューナリセットからの時間インターバルが、そのインターバル中にそのチャンネルに放送される番組の分類と共にマイクロプロセッサ３０により使用されて、その分類の番組の累積視聴時間値が発生される。従って、メモリ４０は、このように分類の全視聴時間を記録し、視聴者プロファイルを与えることができる。もし必要であれば、分類番組ガイドを発生するのに使用されるものとは異なる特別に調整した番組分類をＳＩＰに記憶して、表示に適した広告を選択する際に視聴者の関心により正確に焦点を合わせることができる。
【００２４】
上述したデータベース構造体の場合には、マイクロプロセッサ３０は、リアルタイムクロックから読み取られた時刻及びチューナから読み取られたチャンネルをベースとして、予め確立された時間リストから所望のＳＩＰに対するポインタを得るようにプログラムされる。次いで、マイクロプロセッサ３０は、時刻及びチャンネルに対してＳＩＰから分類を読み取る。
チューナ２４を監視する代わりに、番組分類を、ＸＤＳ又は親の制御定格のようにリアルタイムで各番組自体のＶＢＩにおいて送信することができる。しかしながら、これを行うには、テレビ信号プロバイダーの協力を必要とする。
【００２５】
ユーザターミナルにおけるプロファイルは、ヘッダＨ１、Ｈ２、Ｈ３、・・Ｈｎ−１、Ｈｎにおける送信広告コードと相関され、従って、マイクロプロセッサ３０は、記憶されたプロファイルファイルで表された個人に対する最大の関心事である送信広告Ａ１、Ａ２、Ａ３、・・Ａｎ−１、Ａｎ−２をマークすることができる。例えば、上述したように、簡単な相関構成において、広告に対して使用した同じコードを、テレビ番組に指定しそしてＥＰＧデータベースに記憶することもできる。ユーザプロファイルは、テレビ番組の最も高いコードカウント又は２つの最も高いコードカウント等を表すことができる。
特許出願６０／１１０，３０１号に開示されたような精巧な相関機構を使用することもできる。ローカルメモリスペースを節約するために、プライバシーが問題でない場合には、処理の一部分を中央位置で実行することもできる。
【００２６】
ユーザターミナルに広告が受け取られると、そのコードがユーザプロファイルと比較される。（上記の簡単な相関構成では、広告コードがプロファイルのコード（１つ又は複数）と直接比較される。）一致が検出された場合には、広告が、ＥＰＧのテレビスクリーンの領域５４及び／又は５６（図４）に後で表示するためにメモリ３８に記憶される。広告のコードが、広告が関心のないものであることを指示する場合には、その広告はメモリ３８に記憶されない。これは、ユーザターミナルのメモリスペースを節約する。好ましくは、プロファイルにより反映されるユーザの関心に正確に狙いを定めた多数の広告が記憶されてローテーションでアクセスされ、参考としてここに取り上げる１９９９年６月２８日に出願された特許出願６０／１４１／３３１号に開示された規定のスケジュールに基づいてＥＰＧに表示される。
【００２７】
広告及びそれらのコードをテレビ信号と共に送信するのが好ましいが、ページャーチャンネルのような個別のリンクにおいて又はインターネットを経て送信することもできる。
本発明は、プロファイルをいかに発生するかに依存するものではない。プロファイルは、一連の質問に対する回答によって発生することもできるし、コードのユーザ入力により直接発生することもできるし、或いはインターネットの使い方のようなユーザの関心を反映する他のオペレーションを監視することにより発生することもできる。
【図１】
2010063145.tif 000003
【図３】
2010063145.tif 000004
【図４】
2010063145.tif 000005
【図５】
2010063145.tif 000006
【図６】
2010063145.tif 000007
【図７】
2010063145.tif 000008
【図８】
2010063145.tif 000009
【図２】
2010063145.tif 000010